(57)【要約】      （修正有）【課題】回路基板を収容する空間内の水を所望の経路に排出することができるモータ、及び、それを有する送風装置を提供する。【解決手段】送風装置１は、上下方向に延びる中心軸回りに回転可能な羽根を有するインペラ１３０とモータ１００を備える。モータ１００は、中心軸回りに回転可能なロータ１０２と、ステータ１０３と、ハウジング１１０と、蓋部１２０と、回路基板１０５を備える。ハウジング１１０は、ハウジング基体２２と、ハウジング基体から蓋部に向かう第１方向に延び、回路基板を囲む収容壁部と、ハウジング基体２２から第１方向の蓋部１２０側に延びる延伸部３２と、を有する。蓋部１２０は、収容壁部の第１方向の蓋部１２０側における端部を囲む。ハウジング基体２２よりも第１方向の蓋部１２０側には、収容開口部３３が設けられる。収容開口部３３は、第１方向と直交する第２方向に開口し、収容壁部の内側と外側とを連通する。【選択図】図５
2019103356.tif 000002
【特許請求の範囲】
【請求項１】
上下方向に延びる中心軸回りに回転可能なロータと、
前記ロータの少なくとも一部と径方向に対向するステータと、
前記ロータ及び前記ステータを収容するハウジングと、
前記ハウジングに取り付けられる蓋部と、
前記ステータと電気的に接続される回路基板と、
を備え、
前記ハウジングは、
ハウジング基体と、
前記ハウジング基体から前記蓋部に向かう第１方向に延び、前記回路基板を囲む収容壁部と、
前記ハウジング基体から第１方向の蓋部側に延びる延伸部と、
を有し、
前記蓋部は、前記収容壁部の第１方向の前記蓋部側における端部を囲み、
前記ハウジング基体よりも第１方向の蓋部側には、収容開口部が設けられ、
前記収容開口部は、第１方向と直交する第２方向に開口し、前記収容壁部の内側と外側とを連通する、モータ。
【請求項２】
前記延伸部は、前記ハウジング基体と同じ部材の一部である、請求項１に記載のモータ。
【請求項３】
前記延伸部は、前記収容壁部と同じ部材の一部である、請求項１又は請求項２に記載のモータ。
【請求項４】
前記延伸部の内側面が、第１方向の前記蓋部側に向かうにつれて第２方向の外方に向かう面を含む、請求項１から請求項３のいずれかに記載のモータ。
【請求項５】
前記延伸部は、前記延伸部の第１方向の前記蓋部側における端部において、第２方向の外方に突出する突出部を有する、請求項１から請求項４のいずれかに記載のモータ。
【請求項６】
前記突出部はさらに、第１方向に長手方向を有する、請求項５に記載のモータ。
【請求項７】
前記蓋部は、
前記回路基板よりも第１方向の蓋部側に配置され、第１方向と垂直な方向に広がる板部と、
前記板部の外縁部から第１方向の前記ハウジング基体側に延びる蓋壁部と、
を有し、
前記蓋壁部には、第２方向に開口する蓋開口部が設けられ、
前記延伸部の外側面の第１方向の前記蓋部側における端部は、前記蓋開口部における第１方向の前記ハウジング基体側の縁部よりも第１方向の前記ハウジング基体側に配置される、請求項１から請求項６のいずれかに記載のモータ。
【請求項８】
前記蓋壁部の少なくとも一部は、第２方向において前記延伸部の第２方向における外側面と接する、請求項７に記載のモータ。
【請求項９】
前記収容壁部は、第２方向の外方に向かうにつれて前記収容開口部に近づく方向に延びる、請求項１から請求項８のいずれかに記載のモータ。
【請求項１０】
上下方向に延びる中心軸回りに回転可能な羽根を有するインペラと、
前記インペラを駆動する請求項１から請求項９のいずれかに記載のモータと、
を備える、送風装置。
【請求項１１】
前記ハウジングは、
前記インペラを内部に収容するインペラ収容部と、
少なくとも一部が前記中心軸と直交する方向に延びる排気部と、
を有し、
前記排気部は、前記収容開口部よりも第２方向の内方に配置される、請求項１０に記載の送風装置。
【発明の詳細な説明】
【技術分野】
【０００１】
本発明は、モータ、及び、それを有する送風装置に関する。
【背景技術】
【０００２】
モータのハウジングの内部では、温度変化による結露が生じることがある。従来では、ハウジング内部に発生した水滴を排出するための水抜き用の孔と、排出した水を貯水槽などに導く排水溝と、をハウジングに形成することがある。
【０００３】
なお、本発明に関連する従来技術の一例として、特許文献１は、モータと、回路基板を収容するケースと、を有する電子制御装置を教示する。この装置では、電子制御装置のケースとモータの筒状壁部との間のシール結合部が水を被ることを防止すべく、シール結合部よりも外縁側に、ケースの底壁からモータ側に突出する突出部が設けられる。
【先行技術文献】
【特許文献】
【０００４】
【特許文献１】特開２０１４−１８７７２８号公報
【発明の概要】
【発明が解決しようとする課題】
【０００５】
ハウジングとは別部材で排水溝を設けた場合、水抜き用の孔から排出された水は、排水溝とハウジングとの隙間を伝って、ハウジングの表面を伝って流れ落ちることがある。そのため、水が、排水溝の先に設けた貯水槽などとは別の場所に流れてしまうことがある。
【０００６】
本発明は、回路基板を収容する空間内の水を所望の経路に排出することができるモータ、及び、それを有する送風装置を提供することを目的とする。
【課題を解決するための手段】
【０００７】
本発明の例示的なモータは、上下方向に延びる中心軸回りに回転可能なロータと、前記ロータの少なくとも一部と径方向に対向するステータと、前記ロータ及び前記ステータを収容するハウジングと、前記ハウジングに取り付けられる蓋部と、前記ステータと電気的に接続される回路基板と、を備える。前記ハウジングは、ハウジング基体と、前記ハウジング基体から前記蓋部に向かう第１方向に延び、前記回路基板を囲む収容壁部と、前記ハウジング基体から第１方向の蓋部側に延びる延伸部と、を有する。前記蓋部は、前記収容壁部の第１方向の前記蓋部側における端部を囲む。前記ハウジング基体よりも第１方向の蓋部側には、収容開口部が設けられる。前記収容開口部は、第１方向と直交する第２方向に開口し、前記収容壁部の内側と外側とを連通する。
【０００８】
本発明の例示的な送風装置は、上下方向に延びる中心軸回りに回転可能な羽根を有するインペラと、前記インペラを駆動する上記のモータと、を備える。
【発明の効果】
【０００９】
本発明の例示的なモータ、及び、それを有する送風装置によれば、回路基板を収容する空間内の水を所望の経路に排出することができる。
【図面の簡単な説明】
【００１０】
【図１】図１は、軸方向上方から見た送風装置の外観図である。
【図２】図２は、軸方向下方から見た送風装置の外観図である。
【図３】図３は、一点鎖線Ａ−Ａに沿う送風装置の断面図である。
【図４】図４は、一点鎖線Ｂ−Ｂに沿う送風装置の断面図である。
【図５】図５は、一点鎖線Ｅ−Ｅに沿う送風装置の断面図である。
【図６】図６は、軸方向下方から見たインペラの外観図である。
【図７】図７は、ハウジング基体及びインペラ間のラビリンス構造を拡大した断面図である。
【図８】図８は、収容開口部の近傍における断面構造の一例を示す図である。
【図９Ａ】図９Ａは、収容開口部の近傍における断面構造の第１変形例を示す図である。
【図９Ｂ】図９Ｂは、収容開口部の近傍における断面構造の第２変形例を示す図である。
【図９Ｃ】図９Ｃは、収容開口部の近傍における断面構造の第３変形例を示す図である。
【図１０】図１０は、収容開口部の一例を示す図である。
【図１１Ａ】図１１Ａは、収容開口部の第１変形例を示す図である。
【図１１Ｂ】図１１Ｂは、収容開口部の第２変形例を示す図である。
【図１２】図１２は、収容開口部の近傍における断面構造の変形例を示す図である。
【図１３】図１３は、蓋部と収容壁部との間における断面構造の拡大図である。
【図１４】図１４は、基板収容部の外部に引き出される接続線を第１線部が延びる方向から見た図である。
【発明を実施するための形態】
【００１１】
以下に図面を参照して本発明の例示的な実施形態を説明する。
【００１２】
なお、本明細書では、送風装置１において、モータ１００の回転軸を「中心軸ＣＡ」と呼び、中心軸ＣＡと平行な方向を「軸方向」と呼ぶ。軸方向に沿って後述する回路基板１０５から後述するインペラ１３０に向かう方向を軸方向一方側として「軸方向上方」と呼び、軸方向に沿ってインペラ１３０から回路基板１０５に向かう方向を軸方向他方側として「軸方向下方」と呼ぶ。各々の構成要素において、軸方向上方における端部を「上端部」と呼び、軸方向上方における端の位置を「上端」と呼ぶ。各々の構成要素において、軸方向下方における端部を「下端部」と呼び、軸方向下方における端の位置を「下端」と呼ぶ。また、各々の構成要素の表面において、軸方向上方を向く面を「上面」と呼び、軸方向下方を向く面を「下面」と呼ぶ。
【００１３】
中心軸ＣＡに直交する方向を「径方向」と呼び、中心軸ＣＡを中心とするロータ１０２が回転する方向を「周方向」と呼ぶ。径方向に沿って中心軸ＣＡに向かう方向を「径方向内方」と呼び、径方向に沿って中心軸ＣＡから離れる方向を「径方向外方」と呼ぶ。各々の構成要素において、径方向内方における端部を「径方向内端部」と呼び、径方向内方における端の位置を「径方向内端」と呼ぶ。各々の構成要素において、径方向外方における端部を「径方向外端部」と呼び、径方向外方における端の位置を「径方向外端」と呼ぶ。また、各々の構成要素の側面において、径方向内方を向く側面を「径方向内側面」と呼び、径方向外方を向く側面を「径方向外側面」と呼ぶ。
【００１４】
また、送風装置１において、後述するハウジング基体２２及び蓋部１２０のうちの一方から他方に向かう方向を「第１方向Ａｘ１」と呼ぶ。特に、第１方向Ａｘ１に沿ってハウジング基体２２から蓋部１２０に向かう方向を「（第１方向Ａｘ１の）蓋部１２０側」と呼び、第１方向Ａｘ１に沿って蓋部１２０からハウジング基体２２に向かう方向を「（第１方向Ａｘ１の）ハウジング基体側」と呼ぶ。
【００１５】
さらに、第１方向Ａｘ１と直交し且つ後述する収容壁部３１の内側及び外側のうちの一方から他方に向かう方向を「第２方向Ａｘ２」と呼ぶ。特に、第２方向Ａｘ２に沿って収容壁部３１の外側から内側に向かう方向を「（第２方向Ａｘ２の）内方」と呼び、第２方向Ａｘ２に沿って収容壁部３１の内側から外側に向かう方向を「（第２方向Ａｘ２の）外方」と呼ぶ。
【００１６】
なお、以上に説明した方向、端部、及び面などの呼称は、実際の機器に組み込まれた場合での位置関係及び方向などを示すものではない。
【００１７】
＜１．実施形態＞
図１は、軸方向上方から見た送風装置１の外観図である。図２は、軸方向下方から見た送風装置１の外観図である。図３は、一点鎖線Ａ−Ａに沿う送風装置１の断面図である。図４は、一点鎖線Ｂ−Ｂに沿う送風装置１の断面図である。図５は、一点鎖線Ｅ−Ｅに沿う送風装置１の断面図である。なお、図３は、図１の一点鎖線Ａ−Ａに沿い且つ中心軸ＣＡを含む仮想の平面で送風装置１を切断した場合の断面構造を示す。図４は、図２の一点鎖線Ｂ−Ｂに沿うが、中心軸ＣＡは含まない仮想の平面で送風装置１を切断した場合の断面構造を示す。図５は、図２の一点鎖線Ｅ−Ｅに沿い且つ中心軸ＣＡを含む仮想の平面で送風装置１を切断した場合の断面構造を示す。
【００１８】
＜１−１．送風装置の構成＞
送風装置１は、たとえば空気調和機などに搭載される渦流ファンである。送風装置１は、本実施形態では基板収容部３の水抜き用の孔（後述する収容開口部３３）が鉛直下方Ｖｘｄを向くように設置される。そのため、本実施形態では、鉛直方向Ｖｘが第２方向Ａｘ２と平行となる。
【００１９】
送風装置１は、図１から図５に示すように、モータ１００と、インペラ１３０と、を備える。モータ１００は、アウターロータ型である。モータ１００は、インペラ１３０を駆動する。インペラ１３０は、上下方向に延びる中心軸ＣＡ回りに回転可能な羽根１３３を有する。インペラ１３０は、モータ１００の上部（特に後述するロータ１０２）に固定される。これにより、回路基板１０５を収容する空間内の水を所望の経路に排出することができるモータ１００を有する送風装置１を実現できる。なお、インペラ１３０の構成は、後に説明する。
【００２０】
＜１−２．モータの構成＞
次に、モータ１００の構成を説明する。モータ１００は、ロータ１０２と、ステータ１０３と、回路基板１０５と、接続線４と、を有する。また、モータ１００は、シャフト１０１と、ベアリング１０４と、をさらに有する。
【００２１】
シャフト１０１は、ロータ１０２の回転軸である。なお、本実施形態ではシャフト１０１には、ロータ１０１のマグネット保持部材（不図示）が取り付けられる。なお、シャフト１０１は、本実施形態ではロータ１０２とは別の部材であるが、この例示に限定されず、ロータ１０２の一部（すなわちロータ１０２の構成要素）であってもよい。
【００２２】
ロータ１０２は、上下方向に延びる中心軸ＣＡ回りに回転可能である。ロータ１０２は、マグネット保持部材（不図示）と、マグネット（不図示）と、を有する。ロータ１０２のマグネット保持部材の径方向外側面には、異なる磁極が周方向において交互に並ぶマグネット（不図示）が設けられる。
【００２３】
ステータ１０３は、ロータ１０２の少なくとも一部と径方向に対向する。ステータ１０３は、ベアリング１０４を介してシャフト１０１を回転可能に支持する。ステータ１０３は、モータ１００の駆動時に発生する径方向の磁束を利用して、ロータ１０２に周方向のトルクを発生させ、中心軸ＣＡを中心としてロータ１０２を駆動して回転させる。また、ステータ１０３は、基板ホルダ１０３ａを含む。基板ホルダ１０３ａは、ステータ１０３の下端部において径方向に広がり、その上面に回路基板１０５を保持する。つまり、モータ１００は、回路基板１０５を有する。
【００２４】
ベアリング１０４は、本実施形態ではボールベアリングであるが、この例示に限定されず、たとえばスリーブベアリングなどであってもよい。
【００２５】
回路基板１０５は、ステータ１０３と電気的に接続される。回路基板１０５には、たとえばステータ１０３の駆動制御デバイスなどが実装される。回路基板１０５は、本実施形態ではロータ１０２よりも軸方向下方に配置される。
【００２６】
接続線４は、回路基板１０５と電気的に接続され、後述するハウジング１１０及び蓋部１２０の外部に引き出される。接続線４の構成は、後に説明する。
【００２７】
＜１−３．ハウジングの構成＞
次に、モータ１００は、ハウジング１１０をさらに備える。言い換えると、送風装置１は、ハウジング１１０をさらに備える。ハウジング１１０は、モータ１００及びインペラ１３０を内部に収容する。具体的に述べると、ハウジング１１０は、ロータ１０２及びステータ１０３を内部に収容する。ハウジング１１０は、インペラ収容部２と、排気部１１２と、を有する。本実施形態では、ハウジング１１０は、基板収容部３と、吸気部１１１と、をさらに有する。吸気部１１１及び排気部１１２は、ともに管状である。
【００２８】
インペラ収容部２は、モータ１００内部に収容する。より詳細に述べると、インペラ収容部２は、モータ１００の上端部とインペラ１３０とを内部に収容する。インペラ収容部２は、上収容部材２１と、ハウジング基体２２と、からなる。言い換えると、ハウジング１１０は、上収容部材２１と、ハウジング基体２２と、を有する。上収容部材２１とハウジング基体２２とが組み合わさることにより、吸気部１１１及び排気部１１２が形成され、さらにモータ１００の上端部とインペラ１３０とを収容する空間が内部に形成される。なお、該空間は、吸気部１１１の内部及び排気部１１２の内部と繋がり、吸気口１１１ａ及び排気口１１２ａを介してハウジング１１０の外部に通じる。また、ロータ１０２よりも径方向外方において、ハウジング基体２２の上面は、インペラ１３０の下端部と対向し、該対向する箇所にラビリンス構造を構成する。ハウジング基体２２及びインペラ１３０間のラビリンス構造の構成は、後に説明する。
【００２９】
基板収容部３は、モータ１００の下端部を内部に収容し、特に回路基板１０５を内部に収容する。本実施形態では、インペラ収容部２の内部、及び基板収容部３の内部は、インペラ１３０の下端部とハウジング１１０のハウジング基体２２との間に設けられる後述のラビリンス構造に通じる。つまり、インペラ収容部２の内部においてインペラ１３０の後述する羽根１３３が回転する空間は、該ラビリンス構造を経由して、基板収容部３の内部に通じる。そのため、該ラビリンス構造によりインペラ収容部２の内部を流れる塵埃が回路基板１０５に到達することを抑制できる。
【００３０】
基板収容部３は、インペラ収容部２よりも軸方向下方に配置される。基板収容部３は、本実施形態ではハウジング基体２２の下面に設けられる。但し、この例示に限定されず、基板収容部３は、ハウジング基体２２の下面以外のインペラ収容部２の外表面に設けられてもよい。たとえば、基板収容部３は、上収容部材２１の上面に設けられてもよいし、インペラ収容部２の側表面に設けられてもよい。
【００３１】
また、基板収容部３は、収容壁部３１と、延伸部３２と、収容開口部３３と、を有する。言い換えると、ハウジング１１０は、ハウジング基体２２と、収容壁部３１と、延伸部３２と、をさらに有する。加えて、ハウジング１１０は、収容開口部３３をさらに有する。なお、収容開口部３３は、基板収容部３に設けられる。言い換えると、収容開口部３３は、ハウジング１１０に設けられる。基板収容部３の各構成要素（すなわち収容壁部３１、延伸部３２、及び収容開口部３３）の構成は後に説明する。
【００３２】
次に、ハウジング１１０は、吸気部１１と、排気部１１２と、を有する。吸気部１１１の少なくとも一部は、中心軸ＣＡと直交する方向に延びる。また、排気部１１２の少なくとも一部は、中心軸ＣＡと直交する方向に延びる。吸気部１１１は、吸気口１１１ａを有する。また、排気部１１２は、排気口１１２ａを有する。言い換えると、ハウジング１１０は、吸気口１１１ａと排気口１１２ａとを有する。吸気部１１１の一方端及び排気部１１２の一方端はインペラ収容部２に繋がる。吸気口１１１ａは、吸気部１１１の他方端に設けられる。排気口１１２ａは、排気部１１２の他方端に設けられる。吸気口１１１ａ及び排気口１１２ａはそれぞれ、中心軸ＣＡと直交する方向に開口する。そのため、吸気口１１１ａ及び排気口１１２ａが軸方向に開口する構成と比べて、吸気部１１１内及び排気部１１２内の気流が滑らかに流れるため、送風装置１の送風効率が向上する。なお、吸気口１１１ａが開口する方向と排気口１１２ａが開口する方向とは、平行であってもよいし、図１及び図２に示すように平行でなくてもよい。
【００３３】
また、排気部１１２は、第２方向Ａｘ２において収容開口部３３と同じ位置、又は、収容開口部３３よりも第２方向Ａｘ２の外方に配置されてもよい。排気部１１２は、好ましくは本実施形態のように収容開口部３３よりも第２方向Ａｘ２の内方に配置されてもよい。すなわち、排気部１１２は、収容開口部３３よりも鉛直上方Ｖｘｕに配置されてもよい。後者の構成によれば、延伸部３２の外側面を鉛直下方Ｖｘｄに向けた場合、収容開口部３３が排気部１１２よりも鉛直下方Ｖｘｄに位置するので、収容開口部３３から排出された水が、排気部１１２側に流れることを抑制できる。また、基板収容部３内の水が、排気部１１２から排出されることを抑制できる。なお、延伸部３２の外側面は、第１方向Ａｘ１と垂直な方向において基板収容部３の外部に面する延伸部３２の側面である。また、延伸部３２の内側面は、第１方向Ａｘ１と垂直な方向において基板収容部３の内部に面する延伸部３２の側面である。
【００３４】
＜１−４．蓋部の構成＞
次に、モータ１００は、蓋部１２０をさらに備える。言い換えると、送風装置１は、蓋部１２０をさらに備える。蓋部１２０は、ハウジング１１０に取り付けられる。本実施形態では、蓋部１２０は、下収容部２２の軸方向下方において基板収容部３に取り付けられる。蓋部１２０は、基板収容部３の下端部を囲む。より具体的には、蓋部１２０は、収容壁部３１の第１方向Ａｘ１の蓋部１２０側における端部を囲む。蓋部１２０は、板部１２１と、蓋壁部１２２と、を有する。蓋部１２０は、蓋開口部１２３と、樋部１２４と、をさらに有する。蓋部１２０の各構成要素（すなわち板部１２１、蓋壁部１２２、蓋開口部１２３、及び樋部１２４）の構成は後に説明する。
【００３５】
＜１−５．インペラの構成＞
次に、インペラ１３０の構成を説明する。図６は、軸方向下方から見たインペラ１３０の外観図である。なお、図６における紙面上での軸方向の上下は、たとえば図３から図５及び後述する図７とは逆になっている。すなわち、図６の上方は図３から図５及び図７の下方に対応し、図６の下方は図３から図５及び図７の上方に対応する。
【００３６】
インペラ１３０は、モータ１００の軸方向における上部に取り付けられる。なお、インペラ１３０は、本実施形態ではロータ１０２に固定されるが、この例示に限定されず、シャフト１０１に固定されてもよい。インペラ１３０は、中心軸ＣＡを中心にして回転可能であり、中心軸ＣＡを中心に回転することによって周方向に流れる気流を発生させる。
【００３７】
インペラは１３０は、インペラハブ１３１と、インペラベース１３２と、を有する。より詳細に述べると、インペラ１３０は、インペラハブ１３１と、インペラベース１３２と、複数の羽根１３３と、第２リブ１３４と、を有する。
【００３８】
インペラハブ１３１は、ロータ１０２に取り付けられる。より具体的には、ロータ１０２の少なくとも上端部が、インペラハブ１３１の内部に挿入され、インペラハブ１３１に固定される。インペラハブ１３１は、有蓋筒状である。
【００３９】
インペラベース１３２は、インペラハブ１３１の径方向外端部から径方向外方に延びる。
【００４０】
羽根１３３は、インペラベース１３２に設けられ、上下方向に延びる中心軸ＣＡ回りにロータ１０２とともに回転可能である。すなわち、インペラ１３０は、ロータ１０２に固定され、ロータ１０２とともに回転可能な羽根１３３を有する。羽根１３３は、上羽根１３３ａと、下羽根１３３ｂと、を有する。
【００４１】
上羽根１３３ａは、インペラベース１３２から軸方向上方に突出する。上羽根１３３ａは、インペラベース１３２の上面に設けられる。下羽根１３３ｂは、インペラベース１３２から軸方向下方に突出する。下羽根１３３ｂは、インペラベース１３２の下面に設けられる。インペラベース１３２の軸方向上方と軸方向下方とに羽根１３３を設けることにより、インペラ収容部２の内部における気流を軸方向において均一にすることができ、羽根１３３により塵埃をインペラ収容部２の内部から排出し易くなる。また、羽根１３３の強度が向上する。
【００４２】
上羽根１３３ａの径方向内端部及び下羽根１３３ｂの径方向内端部は、インペラハブ１３１に接続される。上羽根１３３ａの径方向外端部及び下羽根１３３ｂの径方向外端部は、それぞれ径方向外方に延びる。
【００４３】
上羽根１３３ａ及び下羽根１３３ｂは、それぞれ、周方向に複数配置される。周方向において、各々の上羽根１３３ａは、隣り合う下羽根１３３ｂの間に位置する。言い換えると、軸方向から見て、上羽根１３３ａ及び下羽根１３３ｂはそれぞれ周方向に交互に配置される。この配置では、周方向における同一の位置において、インペラベース１３２の軸方向の上方及び下方において上羽根１３３ａが空気を排出するタイミングと下羽根１３３ｂが空気を排出するタイミングとがずれるため、上羽根１３３ａ及び下羽根１３３ｂによって塵埃をインペラ収容部２の内部からより排出し易くなる。
【００４４】
第２リブ１３４は、対向面２２ａに向かって軸方向下方に突出し、周方向に延びる。対向面２２ａの構成は、後に説明する。
【００４５】
＜１−６．ハウジング基体及びインペラ間のラビリンス構造＞
次に、ロータ１０２よりも径方向外方におけるハウジング基体２２の上面とインペラ１３０の下端部との間のラビリンス構造の構成を説明する。図７は、ハウジング基体２２及びインペラ１３０間のラビリンス構造を拡大した断面図である。なお、図７は、図３において破線で囲まれた部分の断面構造に対応する。
【００４６】
本実施形態では、ハウジング基体２２が、対向面２２ａと、第１リブ２２１と、第３リブ２２２と、を有する。言い換えると、ハウジング１１０は、対向面２２ａと、第１リブ２２１と、第３リブ２２２と、を有する。対向面２２ａは、インペラ収容部２の一部であり、ハウジング基体２２の上面に含まれる。対向面２２ａは、インペラ１３０よりも軸方向下方に配置され、インペラ１３０と軸方向に対向する。すなわち、対向面２２ａは、インペラ収容部２の一部であって、インペラ１３０よりも軸方向下方に配置され、インペラ１３０と軸方向に対向する。第１リブ２２１及び第３リブ２２２は、対向面２２ａに設けられる。第１リブ２２１及び第３リブ２２２は、モータ１００の径方向外方に配置される。すなわち、ハウジング１１０は、インペラ収容部２と、対向面２２ａと、第１リブ２２１と、を有する。第１リブ２２１は、対向面２２ａに設けられる。
【００４７】
第１リブ２２１は、羽根１３３の径方向内端よりも径方向内方に位置する。また、第３リブ２２２は、羽根１３３の径方向内端よりも径方向内方に位置する。そのため、羽根１３３と対向面２２ａとが軸方向に対向する領域において第１リブ２２１及び第３リブ２２２が突出する構成よりも、モータ１００に向かって径方向に流れる気流を抑え易くなる。従って、送風装置１の防塵性と送風効率とをより効果的に向上させることができる。
【００４８】
第１リブ２２１は、対向面２２ａからインペラ１３０に向かって軸方向上方に突出し、周方向に延びる。インペラ１３０の下端部とハウジング１１０の対向面２２ａとの間において、第１リブ２２１が設けられることにより、モータ１００に向かって径方向に流れる気流を第１リブ２２１で抑制することができる。従って、インペラ収容部２の内部を流れる塵埃がモータ１００に達してその内部に進入し難くなる。よって、送風装置１の防塵性を向上することができる。さらに、径方向内方に向かって流れる気流を抑制することにより、気流がより周方向に流れやすくなる。従って、送風装置１の送風効率を向上させることもできる。
【００４９】
第３リブ２２２は、第１リブ２２１よりも径方向内方に設けられる。第３リブ２２２は、第１リブ２２１よりも径方向内方において、対向面２２ａからインペラ１３０に向かって軸方向上方に突出し、周方向に延びる。そのため、インペラ１３０の下部と対向面２２ａとの間に、第１リブ２２１及び第３リブ２２２によるラビリンス構造を設けることができる。該ラビリンス構造によってモータ１００に向かって径方向に流れる気流を抑制できるので、送風装置１の防塵性と送風効率とをさらに向上させることができる。
【００５０】
第３リブ２２２の上端は、第１リブ２２１の上端よりも軸方向上方に位置する。より具体的には、第３リブ２２２の少なくとも一部は、第１リブ２２１の少なくとも一部と軸方向位置が同一である。言い換えると、径方向から見て、第３リブ２２２の一部は、第１リブ２２１の少なくとも一部と重なる。そのため、第１リブ２２１及び第３リブ２２２によるラビリンス構造により、インペラ１３０の下端部とハウジング１１０の対向面２２ａとの間においてモータ１００に向かって径方向に流れる気流を抑制できる。
【００５１】
軸方向において、インペラ１３０と第１リブ２２１の上端部との間隔ｄｏは、インペラ１３０と第３リブ２２２の上端部との間隔ｄｉよりも広い（図７参照）。そのため、インペラ１３０の回転軸がぶれて中心軸ＣＡに対して径方向にわずかに傾いても、インペラ１３０が第１リブ２２１と第３リブ２２２との間隙を適切に保つことができる。
【００５２】
また、径方向において、第１リブ２２１と第３リブ２２２との間には、インペラ１３０の第２リブ１３４が配置される。第２リブ１３４の少なくとも一部は、第１リブ２２１よりも径方向内方において第１リブ２２１の少なくとも上端部と径方向に対向し、第３リブ２２２よりも径方向外方において第３リブ２２２の少なくとも一部と径方向に対向する。そのため、インペラ１３０の下端部とハウジング１１０の対向面２２ａとの間に、第１リブ２２１及び第３リブ２２２と第２リブ１３４とによるラビリンス構造を設けることができる。従って、該ラビリンス構造によってモータ１００に向かって径方向に流れる気流をさらに抑制できる。よって、送風装置１の防塵性と送風効率とをさらに向上させることができる。
【００５３】
＜１−７．基板収容部の構成要素の構成＞
次に、基板収容部３の各構成要素の構成を説明する。前述の如く、基板収容部３は、収容壁部３１と、延伸部３２と、収容開口部３３と、を有する。
【００５４】
＜１−７−１．収容壁部の構成＞
収容壁部３１は、ハウジング１１０の下端部において軸方向下方に突出し、回路基板１０５を囲む（前述の図２から図５参照）。本実施形態では、収容壁部３１は、ハウジング基体２２から蓋部１２０に向かう第１方向Ａｘ１に延び、回路基板１０５を囲む。軸方向下方に突出する収容壁部３１が回路基板１０５を囲むことにより、回路基板１０５に対する防塵性を向上させることができる。
【００５５】
収容開口部３３の近傍において、収容壁部３１は、第２方向Ａｘ２の外方に向かうにつれて収容開口部３３に近づく方向に延びる（前述の図２参照）。この構成によれば、第１方向Ａｘ１から見て、収容開口部３３近傍において、収容壁部３１が収容開口部３３を挟んで漏斗状となる。そのため、基板収容部３の内部の水を効率よく、収容開口部３３に誘導できる。
【００５６】
＜１−７−２．延伸部の構成＞
次に、延伸部３２の構成を説明する。図８は、収容開口部３３の近傍における断面構造の一例を示す図である。なお、図８は、図５の破線で囲まれた部分に対応する。延伸部３２は、図８に示すように、ハウジング基体２２から第１方向Ａｘ１の蓋部１２０側に延びる。
【００５７】
延伸部３２は、好ましくは本実施形態のようにハウジング基体２２と同じ部材の一部である。但し、延伸部３２は、ハウジング基体２２とは別の部材であってもよい。延伸部３２とハウジング基体２２とを一体構造にすることにより、部品点数が少なくなり、ハウジング１１０を成型する際にハウジング基体２２を延伸部３２と同時に成型することができる。従って、製造工程数を低減できるので、製造コストの低減及び量産性の向上に有用である。
【００５８】
また、延伸部３２は、好ましくは本実施形態のように収容壁部３１と同じ部材の一部である。但し、延伸部３２は、収容壁部３１とは別の部材であってもよい。さらに、延伸部３２は、本実施形態では収容壁部３１とは別の構成要素であるが、この例示に限定されず、収容壁部３１の一部であってもよい。延伸部３２と収容壁部３１とを一体構造にすることにより、量産性が向上する。さらに、延伸部３２が収容壁部３１とは別体である場合に比べて、水が延伸部３２と収容壁部３１との隙間に侵入することを抑制できる。
【００５９】
＜１−７−３．延伸部の他の構成＞
なお、延伸部３２の構成は、図８の例示に限定されない。図９Ａは、収容開口部３３の近傍における断面構造の第１変形例を示す図である。図９Ｂは、収容開口部３３の近傍における断面構造の第２変形例を示す図である。図９Ｃは、収容開口部３３の近傍における断面構造の第３変形例を示す図である。なお、図９Ａから図９Ｃは、図５の破線で囲まれた部分に対応する。
【００６０】
＜１−７−３−１．延伸部の第１変形例＞
たとえば、延伸部３２の内側面は、図９Ａに示すように、第１方向Ａｘ１の蓋部１２０側に向かうにつれて第２方向Ａｘ２の外方に向かう面３２ａを含んでいてもよい。ここで、延伸部３２の内側面は、第２方向Ａｘ２の内方を向く面である。なお、面３２ａは、平面形状を有する傾斜面であってもよいし、曲面であってもよい。また、曲面である場合、面３２ａは、第２方向Ａｘ２の内方に向かって膨らむ曲面であってもよいし、第２方向Ａｘ２の外方に向かって反る曲面であってもよい。この構成によれば、延伸部３２の外側面を鉛直下方Ｖｘｄに向けて基板収容部３の内部の水を排出する際、より確実に、延伸部３２の第１方向Ａｘ１の蓋部１２０側における端部に設けられる収容開口部３３に水を誘導することができる。
【００６１】
＜１−７−３−２．延伸部の第２変形例＞
また、たとえば、延伸部３２は、図９Ｂに示すように、突出部３２１を有してもよい。突出部３２１は、延伸部３２の第１方向Ａｘ１の蓋部１２０側における端部において、第２方向Ａｘ２の外方に突出する。言い換えると、延伸部３２の第１方向Ａｘ１の蓋部側における先端は、第２方向Ａｘ２の外方に曲がっていてもよい。この構成によれば、延伸部３２の外側面を鉛直下方Ｖｘｄに向けて基板収容部３の内部の水を排出する際、延伸部３２の第１方向Ａｘ１における端部に達した水を、突出部３２１の先端に誘導できる。従って、水は、ハウジング１１０のハウジング基体２２の表面を伝って流れ落ちることなく、突出部３２１の先端から鉛直下方Ｖｘｄに滴り落ちるようにできる。
【００６２】
＜１−７−３−３．延伸部の第３変形例＞
さらに、突出部３２１は、図９Ｃに示すように、第１方向Ａｘ１に長手方向Ｌｘを有してもよい。言い換えると、突出部３２１は、第１方向Ａｘ１のハウジング基体側に延びてもよい。この構成によれば、突出部３２１によって延伸部３２を補強することができる。
【００６３】
＜１−７−４．収容開口部の構成＞
次に、収容開口部３３の構成を説明する。図１０は、収容開口部３３の一例を示す図である。なお、図１０は、図２の一点鎖線Ｆ−Ｆにおいて第２方向Ａｘから収容開口部３３を見た図であり、ハウジング基体２２、及び基板収容部３の構成要素以外の図示を省略している。
【００６４】
収容開口部３３は、第１方向Ａｘ１と直交する第２方向Ａｘ２に開口し、収容壁部３１の内側と外側とを連通する。収容開口部３３は、ハウジング基体２２よりも第１方向Ａｘ１の蓋部１２０側に設けられる。収容開口部３３は、収容壁部３１とともに回路基板１０５を囲む延伸部３２の第１方向Ａｘ１における端部に設けられ、第１方向Ａｘ１と直交し且つ延伸部３２の内側面側から外側面側に向かう第２方向Ａｘ２において基板収容部３の内部から外部に連通する。従って、延伸部３２の外側面を鉛直下方Ｖｘｄに向けることにより、収容開口部３３から基板収容部３の内部の水を外部に排出することができる。また、排出する水は、延伸部３２の第１方向Ａｘ１における端部から鉛直下方Ｖｘｄに滴り落ち易いため、ハウジング１１０のハウジング基体２２の表面を伝って流れ落ち難くなる。よって、回路基板１０５を収容する空間内の水を所望の経路で排出できる。
【００６５】
図１０に示すように、収容開口部３３の第１方向Ａｘ１の蓋部１２０側の端部は、第１方向Ａｘ１において、収容壁部３１の第１方向Ａｘ１の蓋部１２０側における端部と同じ位置にあり、言い換えると、基板収容部３の第１方向Ａｘ１の蓋部１２０側の端部から第１方向Ａｘ１のハウジング基体側に凹む。収容開口部３３の第１方向Ａｘ１のハウジング基体側の端部は、延伸部３２の第１方向Ａｘ１の蓋部１２０側の端部に接する。また、第１方向及び第２方向と直交する方向の両側における収容開口部３３の端部は、収容壁部３１に接する。
【００６６】
＜１−７−５．収容開口部の他の構成＞
なお、収容開口部３３の構成は、図１０の例示に限定されない。図１１Ａは、収容開口部３３の第１変形例を示す図である。図１１Ｂは、収容開口部３３の第２変形例を示す図である。なお、図１１Ａ及び図１１Ｂは、図２の一点鎖線Ｆ−Ｆにおいて第２方向Ａｘから収容開口部３３を見た図であり、ハウジング基体２２、及び基板収容部３の構成要素以外の図示を省略している。
【００６７】
たとえば、第１方向Ａｘ１から見た収容開口部３３の形状は、図１０では矩形であるが、この例示に限定されず、図１１Ａに示すように矩形でなくてもよい。また、収容開口部３３の第１方向Ａｘ１のハウジング基体側の端部の一部は延伸部３２の第１方向Ａｘ１の蓋部１２０側の端部に接し、他の一部は図１１Ａのように収容壁部３１の第１方向Ａｘ１の蓋部１２０側の端部に接してもよい。
【００６８】
また、収容開口部３３の第１方向Ａｘ１の蓋部１２０側の端部は、図１１Ｂに示すように、第１方向Ａｘ１において、収容壁部３１の第１方向Ａｘ１の蓋部１２０側における端部から離れていてもよい。
【００６９】
＜１−８．蓋部の各構成要素の構成＞
次に、図８を参照して、蓋部１２０の各構成要素の構成を説明する。前述の如く、蓋部１２０は、板部１２１と、蓋壁部１２２と、蓋開口部１２３と、樋部１２４と、を有する。
【００７０】
板部１２１は、回路基板１０５よりも第１方向Ａｘ１の蓋部１２０側に配置され、第１方向Ａｘ１と垂直な方向に広がる。板部１２１は、基板収容部３の第１方向Ａｘ１の蓋部１２０側における端部を覆い、より具体的には基板収容部３の収容壁部３１の第１方向Ａｘ１の蓋部１２０側における端部により形成される開口（不図示）を覆う。
【００７１】
蓋壁部１２２は、板部１２１の外縁部から第１方向Ａｘ１のハウジング基体２２側に延びる。蓋壁部１２２は、基板収容部３の収容壁部３１の第２方向Ａｘ２の外側端部を囲う。蓋壁部１２２は、第１方向Ａｘ１から見て基板収容部３の外側に位置する。
【００７２】
蓋開口部１２３は、蓋壁部１２２に設けられる。蓋開口部１２３は、第２方向Ａｘ２に開口し、蓋壁部１２２の内側と外側とを連通する。すなわち、蓋壁部１２２には、第２方向Ａｘ２に開口する蓋開口部１２３が設けられる。第２方向Ａｘ２から見て、蓋開口部１２３は、収容開口部３３の少なくとも一部と重なり、特に、収容開口部３３の第１方向Ａｘ１のハウジング基体側における縁部と重なる。
【００７３】
樋部１２４は、基板収容部２の内部から外部に収容開口部３３及び蓋開口部１２３を介して流れる水を導く排水経路である。樋部１２４は、底部１２４ａと、側部１２４ｂと、底開口部１２４ｃと、を有する。底部１２４ａは、第２方向Ａｘ２に延びる板状である。側部１２４ｂは、第１方向Ａｘ１及び第２方向Ａｘ２と直交する方向の両側における底部１２４ａの端部から第１方向Ａｘ１に突出し、第２方向Ａｘ２に延びる。底部１２４ａ及び側部１２４ｂは、第１方向Ａｘ１のハウジング基体側に凹み且つ第２方向Ａｘ２に延びる排水経路を構成する。該排水経路の先には、たとえば貯水槽などが設けられる。
【００７４】
また、底開口部１２４ｃは、底部１２４ａに設けられる。底開口部１２４ｃは、底部１２４ａの第２方向Ａｘ２の外方に凹む。底開口部１２４ｃは、金型を用いた蓋部１２０の成型をより容易にするために設けられており、蓋開口１２３と繋がる。底開口部１２４ｃを底部１２４ａに設けることにより、金型を第１方向Ａｘ１の蓋部１２０側とハウジング基体側とに抜くことができる。
【００７５】
なお、本実施形態では、底開口部１２４ｃには、蓋開口部１２３が繋がっているが、この例示に限定されない。図１２は、収容開口部３３の近傍における断面構造の変形例を示す図である。図１２は、図５の破線で囲まれた部分に対応する。
【００７６】
図１２に示すように、収容開口部３３は、底開口部１２４ｃと繋がっておらず、第１方向Ａｘ１において底部１２４ａから離れていてもよい。より具体的には、収容開口部３３の第１方向Ａｘ１のハウジング基体側における縁部は、第１方向Ａｘ１において底部１２４ａから間隔を有して設けられてもよい。つまり、この際、底開口部１２４ｃは、底部１２４ａに設けられてもよいが、底部１２４ａに設けられなくてもよい。
【００７７】
この際、延伸部３２の外側面の第１方向Ａｘ１の蓋部１２０側における端部は、図１２に示すように、蓋開口部１２３における第１方向Ａｘ１のハウジング基体側の縁部よりも第１方向Ａｘ１のハウジング基体側に配置される。この構成によれば、延伸部３２の外側面を鉛直下方Ｖｘｄに向けて基板収容部３の内部の水を排出する際、延伸部３２の第１方向Ａｘ１の蓋部１２０側における端部に達した水が、延伸部３２の外側面を伝わり難くなる。従って、水が、ハウジング１１０のハウジング基体２２の表面に流れ難くなる。
【００７８】
さらに、蓋壁部１２２の少なくとも一部は、図１２のように、第２方向Ａｘ２において延伸部３２の第２方向Ａｘ２における外側面と接する。ここで、蓋壁部１２２の当該少なくとも一部には、蓋開口部３３が設けられる。この構成によれば、基板収容部３の内部の水を基板収容部３及び蓋部１２０の外部に排出する機構を簡易な構成で実現できる。
【００７９】
＜１−９．接続線の構成＞
次に、接続線４の構成を説明する。図１３は、蓋部１２０と基板収容部３との間における断面構造の拡大図である。なお、図１３は、図４において破線で囲まれた部分の断面構造に対応する。
【００８０】
回路基板１０５と電気的に接続される接続線４は、基板収容部３の内部から外部に引き出される。該接続線４は、基板収容部３と、基板収容部３の下端部を囲む蓋部１２０との間にて軸方向に狭持される。そのため、この狭持箇所における接続線４と基板収容部３又は蓋部１２０との間の隙間がより小さくなるので、基板収容部３の内部への塵埃の進入を抑制できる。従って、モータ１００の防塵性を向上させることができる。
【００８１】
接続線４は、図１３に示すように、第１線部４１と、第２線部４２と、第３線部４３と、を有する。
【００８２】
接続線４は、上述のように、第１線部４１を有する。第１線部４１は、中心軸ＣＡと直交する方向Ｅｘに延びる。第１線部４１は、基板収容部３と蓋部１２０との間にて軸方向に狭持される。第１線部４１は、基板収容部３の内部から外部に引き出され、基板収容部３と蓋部１２０との間にて軸方向に狭持される。より具体的には、第１線部４１は、収容壁部３１の下面と蓋部１２０の上面との間にて軸方向に狭持される。なお、蓋部１２０の上面は、板部１２１の上面である。そのため、この狭持箇所において、回路基板１０５を囲む収容壁部３１の内部から外部に引き出される接続線４の第１線部４１と、基板収容部３の収容壁部３１又は蓋部１２０との間の隙間がより小さくなる。従って、基板収容部３の内部への塵埃の進入を抑制できる。よって、回路基板１０５に対するモータ１００の防塵性を向上させることができる。
【００８３】
収容壁部３１の下端部は、回路基板１０５よりも軸方向下方に配置される。そのため、収容壁部３１とともに第１線部４１を狭持する蓋部１２０の形状が複雑にならないようにすることができる。つまり、シンプルな形状を有する収容壁部３１と蓋部１２０とによって、第１線部４１を狭持できる。
【００８４】
次に、接続線４は、第２線部４２と、第３線部４３と、をさらに有する。第２線部４２は、回路基板１０５と電気的に接続される。第２線部４２は、回路基板１０５から軸方向下方に延びる。第２線部４２は、軸方向から見て基板収容部３の収容壁部３１の内側において第１線部４１の一方端に接続される。本実施形態では、第２線部４２は、第１線部４１の径方向内端部に接続される。第２線部４２は、第１線部４１が延びる方向において収容壁部３１と間隔を介して配置される。そのため、第２線部４２は、その動きを制限されることなく撓んだ状態となる。従って、回路基板１０５と接続線４との接続箇所に、収容壁部３１及び蓋部１２０間での第１線部４１の狭持に起因する応力が作用し難くなる。
【００８５】
第３線部４３は、軸方向から見て基板収容部３の収容壁部３１の外側において、第１線部４１の他方端から軸方向上方に延びる。本実施形態では、第３線部４３は、第１線部４１の径方向外端部から軸方向上方に延びる。
【００８６】
また、第３線部４３は、第１線部４１が延びる方向Ｅｘにおいて、収容壁部３１の外側面と蓋壁部１２２の内側面との間に狭持される。なお、収容壁部３１、蓋壁部１２２の外側面はそれぞれ、第１線部４１が延びる方向Ｅｘにおいて基板収容部３の外部に面する収容壁部３１、蓋壁部１２２の側面である。この構成によれば、第３線部４３を収容壁部３１及び蓋部１２０の間に固定できるので、たとえば軸方向と垂直な方向に接続線４が引っ張られた場合でも、第１線部４１が延びる方向Ｅｘにおいて大きな応力が第１線部４１に作用することを防止できる。また、この固定箇所における第３線部４３と収容壁部３１又は蓋部１２０との間の隙間をより小さくできる。従って、基板収容部３の内部への塵埃の進入をより抑えることができる。
【００８７】
第１線部４１、第２線部４２、及び第３線部４３がこのように接続されることにより、回路基板１０５に接続された接続線４が、第１線部４１が延びる方向Ｅｘにおいて、第２線部４２と第３線部４３との間に収容壁部３１が位置するように曲がった状態で設けられる。従って、回路基板１０５と接続線４との間の接続箇所に作用する応力をさらに抑えることができる。なお、第１線部４１、第２線部４２、及び第３線部４３は、電気的にも接続されている。
【００８８】
第３線部４３の軸方向長さＬ３は、蓋壁部１２２とハウジング１１０との軸方向における間隔Ｌｃ以下である。たとえば図１３のようにＬ３≦Ｌｃとなるため、蓋壁部１２２とハウジング１１０との間に接続線４をモータ１００の外部に引き出すスペースを確保しつつ、蓋壁部１２２とハウジング１１０の下端部との間において第３線部４３に作用する応力が大きくなり過ぎないようにすることができる。
【００８９】
また、第１線部４１が延びる方向Ｅｘにおける基板収容部３の外部にて、接続線４の第３線部４３の両側は、蓋壁部１２２と接していなくてもよいが、好ましくは図１４のように蓋壁部１２２と接する。図１４は、基板収容部３の外部に引き出される接続線４を第１線部４１が延びる方向Ｅｘから見た図である。図１４は、図２の一点鎖線Ｃ−Ｃ及び図１３の一点鎖線Ｄ−Ｄに沿う仮想の平面で蓋部１２０及び接続線４を切断した場合の断面構造を示す。
【００９０】
第１線部４１が延びる方向Ｅｘから見て、第１線部４１が延びる方向Ｅｘにおける基板収容部３の外部にて、蓋壁部１２２は、好ましくは方向Ｃｘの少なくとも片側において接続線４と接し、さらに好ましく図１４のように方向Ｃｘの両側において接続線４と接する。ここで、方向Ｃｘは、第１線部４１が延びる方向Ｅｘと軸方向とに垂直な方向である。つまり、第１線部４１が延びる方向Ｅｘにおける基板収容部３の外部にて、蓋壁部１２２は、第１線部４１が延びる方向Ｅｘと軸方向とに垂直な方向Ｃｘにおいて接続線４と接する。このようにすれば、第１線部４１の狭持箇所の近傍において、接続線４と蓋壁部１２２との方向Ｃｘにおける隙間を狭くすることができる。たとえば、方向Ｃｘにおいて、第１線部４１と蓋壁部１２２との隙間、又は、第３線部４３と蓋壁部１２２との隙間を狭くすることができる。従って、基板収容部３の内部への塵埃の進入をさらに抑制できる。
【００９１】
＜２．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【００９２】
本実施形態では、シャフト１０１は、ロータ１０２とともに回転可能な回転軸であったが、この例示に限定されず、ステータ１０３に取り付けられる固定軸であってもよい。なお、シャフト１０１が固定軸である場合、ロータ１０２には、シャフト１０１との間にベアリング（不図示）が設けられる。また、モータ１００は、本実施形態ではアウターロータ型であるが、この例示に限定されず、インナーロータ型であってもよい。
【００９３】
また、本実施形態では、ハウジング１１０及び蓋部１２０は、モータ１００の構成要素となっているが、この例示には限定されない。ハウジング１１０及び蓋部１２０は、送風装置１の構成要素であって、モータ１００とは別の部材であってよい。
【００９４】
また、本実施形態では、送風装置１は、本実施形態では渦流ファンであるが、この例示に限定されず、遠心ファンなどの他の送風装置であってもよい。また、本発明の送風装置１は、本実施形態ではエアコンなどの空気調和機に搭載されるが、この例示に限定されず、他の機器に搭載されてもよい。
【産業上の利用可能性】
【００９５】
本発明は、たとえば、ハウジングに基板収容部が設けられるモータ、及び、当該モータを有する送風装置に有用である。
【符号の説明】
【００９６】
１・・・送風装置、１００・・・モータ、１０１・・・シャフト、１０２・・・ロータ、１０３・・・ステータ、１０３ａ・・・基板ホルダ、１０４・・・ベアリング、１０５・・・回路基板、１１０・・・ハウジング、１１１・・・吸気部、１１１ａ・・・吸気口、１１２・・・排気部、１１２ａ・・・排気口、１２０・・・蓋部、１２１・・・板部、１２２・・・蓋壁部、１２３・・・蓋開口部、１２４・・・樋部、１２４ａ・・・底部、１２４ｂ・・・側部、１２４ｃ・・・底開口部、１３０・・・インペラ、１３１・・・インペラハブ、１３２・・・インペラベース、１３３・・・羽根、１３３ａ・・・上羽根、１３３ｂ・・・下羽根、１３４・・・第２リブ、２・・・インペラ収容部、２１・・・上収容部材、２２・・・ハウジング基体、２２ａ・・・対向面、２２１・・・第１リブ、２２２・・・第３リブ、３・・・基板収容部、３１・・・収容壁部、３２・・・延伸部、３２ａ・・・傾斜面、３２１・・・突出部、３３・・・収容開口部、４・・・接続線、４１・・・第１線部、４２・・・第２線部、４３・・・第３線部、ＣＡ・・・中心軸、Ｅｘ・・・第１線部が延びる方向、Ｃｘ・・・第１線部が延びる方向と軸方向とに垂直な方向、Ａｘ１・・・第１方向、Ａｘ２・・・第２方向、Ａｘ３・・・第３方向、Ｖｘ・・・鉛直方向、Ｖｘｕ・・・鉛直上方、Ｖｘｄ・・・鉛直下方、Ｌｘ・・・長手方向
【図１】
2019103356.tif 000003
【図２】
2019103356.tif 000004
【図３】
2019103356.tif 000005
【図４】
2019103356.tif 000006
【図５】
2019103356.tif 000007
【図６】
2019103356.tif 000008
【図７】
2019103356.tif 000009
【図８】
2019103356.tif 000010
【図９Ａ】
2019103356.tif 000011
【図９Ｂ】
2019103356.tif 000012
【図９Ｃ】
2019103356.tif 000013
【図１０】
2019103356.tif 000014
【図１１Ａ】
2019103356.tif 000015
【図１１Ｂ】
2019103356.tif 000016
【図１２】
2019103356.tif 000017
【図１３】
2019103356.tif 000018
【図１４】
2019103356.tif 000019